(57)【要約】【課題】不正な設定操作の防止がさらに効果的に図れるスロットマシンの提供。【解決手段】リールユニット12等の遊技装置を内部に収納するキャビネット２の背面側の面を開口部2Aとし、この開口部2Aを塞ぐ扉体３をキャビネット２に回動可能にとりつける。そして、キャビネット２における開口部2Aとは反対側の面を、遊技者に臨む前面とし、この面に、回転リール11の図柄を外部から視認させる表示窓4Aを設けるとともに、スタートスイッチ7Fやストップスイッチ7D等の操作装置を取り付け、これにより、扉体３とキャビネット２と間に形成される隙間を、キャビネット２の背面側に配置し、この隙間を利用して、キャビネット２の内部に細長い針金状の器具を進入させることを著しく困難にし、遊技の設定を当選確率の高い設定へ不正に変更する不正行為を有効に防止する。【選択図】    図５
2013153852.tif 000002
【特許請求の範囲】
【請求項１】
外周面に複数種類の図柄が記されているとともに回転動作する複数の回転リールを含む遊技装置と、前記複数の回転リールに回転を開始させるために操作されるスタートスイッチ、及び、前記回転リールの回転を停止させるために操作されるストップスイッチを含む操作装置とを備えているスロットマシンであって、
前記遊技装置を内部に収納するために、一面が開口された六面体の箱状に形成されたキャビネットと、
前記キャビネットの前記開口を閉鎖する閉鎖位置及び前記開口を開放する開放位置の二位置にわたって回動可能に前記キャビネットに軸支された扉体とを備え、
前記キャビネットは、前記開口とは反対側の面が遊技者に臨む前面とされ、
前記キャビネットの前記前面には、前記回転リールの図柄を外部から視認させる図柄表示窓が設けられているとともに、前記操作装置が取り付けられていることを特徴とするスロットマシン。
【請求項２】
前記キャビネットの前記前面に向かって前後となる方向に沿って摺動可能に前記キャビネットを支持する摺動支持機構と、
平面視で前記キャビネットの背面側の一方の角部近傍に設定された垂直な回動軸を中心に、前記キャビネットを回動可能に軸支する回動支持機構と、
を備えていることを特徴とする請求項１記載のスロットマシン。
【請求項３】
前記キャビネットの内部には、遊技の設定操作を行うための設定操作スイッチと、電源の入り切り操作を行うための電源スイッチと、遊技の設定操作の可否を選択するためのキースイッチとが設けられ、
前記キャビネットにおける前記前面に向かって左側及び右側の一方の側面には、手の出し入れが可能なサイズの操作口が設けられ、
前記設定操作スイッチ、前記電源スイッチ及び前記キースイッチは、前記操作口を通じて操作可能な位置に配置されていることを特徴とする請求項１又は２記載のスロットマシン。
【発明の詳細な説明】
【技術分野】
【０００１】
本発明は、外周面に複数種類の図柄が記されているとともに回転動作する複数の回転リールを含む遊技装置と、前記複数の回転リールに回転を開始させるために操作されるスタートスイッチ、及び、前記回転リールの回転を停止させるために操作されるストップスイッチを含む操作装置とを備えているスロットマシンに関する。
【背景技術】
【０００２】
従来から、外周面に複数種類の図柄が記された複数の回転リールを備え、これらの回転リールを回転させた後、遊技者に回転リールを停止させて図柄を揃えさせる遊技を行うスロットマシンが利用されている。
このようなスロットマシンは、前面が開口された六面体の箱状に形成されたキャビネットを有し、このキャビネットの内部に前述した回転リール等の遊技装置や、遊技装置に電力を供給する電源装置を収納するものとなっている。
また、キャビネットは、その開口を閉鎖するための前扉を備えている。すなわち、前扉は、キャビネットに軸支され、キャビネットの開口を閉鎖する閉鎖位置と、当該開口を開放する開放位置の二位置にわたって回動可能となっている。
【０００３】
このようなキャビネット内部の所定位置、例えば、電源装置の前面パネルには、遊技における当選確率等の設定操作を行うための設定操作スイッチと、電源の入り切り操作を行うための電源スイッチと、遊技の設定操作の可否を選択するためのキースイッチとが設けられている。
このため、スロットマシンの前扉が閉鎖されている状態では、前扉を開けることができない遊技者は、キャビネット内部に設けられた電源装置の設定操作スイッチ、電源スイッチ、キースイッチを操作することができず、従って、設定を自分に有利な値に変更する等のために、設定操作を行うことができない。
【０００４】
ここで、前扉でキャビネットの開口を閉鎖しても、キャビネットと前扉との間には隙間ができ、この隙間を通じてキャビネットの内部に、細長い針金状の器具を進入させることができる。このため、隙間を通じてキャビネットの内部に進入させた細長い針金状の器具を巧みに操り、設定操作スイッチ、電源スイッチ及びキースイッチを操作して、遊技の設定を当選確率の高い設定へ不正に変更する不正行為が行われることがある。
このような不正行為を防止するため、次のようなスロットマシンが提案されている。
すなわち、前述のスロットマシンには、設定操作スイッチ、電源スイッチ及びキースイッチが設けられた電源装置の前面パネルを前述のスイッチとともに覆うカバー部材が、前面パネルを覆う閉鎖位置及び前面パネルを露出させる開放位置の二位置のわたって回動可能に設けられ、さらに、先端部分が後述する固定位置及び解放位置の二位置に渡って前進／後退するように前面パネルに設置されるとともに、先端部分が固定位置まで押し込まれると、カバー部材を閉鎖位置に固定する一方、解放位置まで引き出されるとカバー部材を自由に回動可能とする引出棒が設けられている。
【０００５】
このようなスロットマシンによれば、前扉が閉じている状態では、引出棒の先端分部が前扉に押さえ込まれ、引出棒を解放位置まで引き出すことが不可能となるので、前面パネルを覆うカバー部材を開放位置まで回動させることができず、換言すると、カバー部材を開くことができず、このため、設定操作スイッチ、電源スイッチ及びキースイッチがカバー部材に覆われ、操作することができない。
従って、キャビネットの開口が前扉で閉鎖された状態では、キャビネットと前扉との間の隙間に細長い針金状の器具を進入させても、設定操作スイッチ、電源スイッチ及びキースイッチがカバー部材に覆われているので、針金状の器具で設定操作スイッチ、電源スイッチ及びキースイッチを操作することができなくなり、これにより、遊技の設定を当選確率の高い設定へ不正に変更する等の不正行為の防止を図ることができる（例えば、特許文献１参照）。
【特許文献１】特開２０１０−６３６５３号公報
【発明の概要】
【発明が解決しようとする課題】
【０００６】
前述のスロットマシンでは、前扉を開くことができれば、カバー部材も開くことができ、カバー部材が開かれれば、設定操作スイッチ、電源スイッチ及びキースイッチの操作が可能となり、不正な設定操作が行えるので、不正な設定操作の防止がさらに効果的に図れるようにしたい、という要望がある。
本発明は、このような問題を解決するためになされたものであり、不正な設定操作の防止がさらに効果的に図れるようになるスロットマシンを提供することを目的とする。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、外周面に複数種類の図柄が記されているとともに回転動作する複数の回転リール(11)を含む遊技装置と、前記複数の回転リール(11)に回転を開始させるために操作されるスタートスイッチ(7F)、及び、前記回転リール(11)の回転を停止させるために操作されるストップスイッチ(7D)を含む操作装置とを備えているスロットマシン(１)であって、前記遊技装置を内部に収納するために、一面が開口された六面体の箱状に形成されたキャビネット(２)と、前記キャビネット(２)の前記開口を閉鎖する閉鎖位置及び前記開口を開放する開放位置の二位置にわたって回動可能に前記キャビネット(２)に軸支された扉体(３)とを備え、前記キャビネット(２)は、前記開口とは反対側の面が遊技者に臨む前面とされ、前記キャビネット(２)の前記前面には、前記回転リール(11)の図柄を外部から視認させる図柄表示窓(4A)が設けられているとともに、前記操作装置が取り付けられていることを特徴とする。
【０００８】
（請求項２）
（特徴点）
請求項２記載の発明は、前述した請求項１に記載の発明において、次の特徴点を備えているものである。
すなわち、請求項２記載の発明は、前記キャビネット(２)の前記前面に向かって前後となる方向に沿って摺動可能に前記キャビネット(２)を支持する摺動支持機構(20)と、平面視で前記キャビネット(２)の背面側の一方の角部近傍に設定された垂直な回動軸(25)を中心に、前記キャビネット(２)を回動可能に軸支する回動支持機構(20)とを備えていることを特徴とするものである。
【０００９】
（請求項３）
（特徴点）
請求項３記載の発明は、前述した請求項１又は２に記載の発明において、次の特徴点を備えているものである。
すなわち、請求項３記載の発明は、前記キャビネット(２)の内部には、遊技の設定操作を行うための設定操作スイッチ(32)と、電源の入り切り操作を行うための電源スイッチ(31)と、遊技の設定操作の可否を選択するためのキースイッチ(33)とが設けられ、前記キャビネット(２)における前記前面に向かって左側及び右側の一方の側面には、手の出し入れが可能なサイズの操作口(2C)が設けられ、前記設定操作スイッチ(32)、前記電源スイッチ(31)及び前記キースイッチ(33)は、前記操作口(2C)を通じて操作可能な位置に配置されていることを特徴とする。
【発明の効果】
【００１０】
（請求項１の効果）
以上のように構成されている本発明は、以下に記載されるような効果を奏する。
すなわち、請求項１記載の発明によれば、遊技装置を内部に収納するために、一面が開口された六面体の箱状に形成されたキャビネットにおける開口とは反対側の面を、遊技者に臨む前面とし、且つ、このキャビネットにおける開口とは反対側の面に、回転リールの図柄を外部から視認させる図柄表示窓を設けるとともに、スタートスイッチやストップスイッチ等の操作装置を取り付けたので、扉体とキャビネットと間に形成される隙間は、キャビネットの背面側に位置し、この隙間を利用して、キャビネットの内部に細長い針金状の器具を進入させることが著しく困難となり、遊技の設定を当選確率の高い設定へ不正に変更する不正行為を有効に防止することができ、不正な設定操作の防止がさらに効果的に図れるようになる。
【００１１】
ここで、島設備等に設けられた設置台からキャビネット全体を引き出し、さらに、キャビネットの背面を設置の正面に向かせるために、キャビネット全体を回動すれば、扉体を開いて、キャビネットの内部に設けられたスイッチ、例えば、設定操作スイッチ、電源スイッチ及びキースイッチの操作が容易に行え、当該スロットマシンが設置されている遊技場において行われる日常業務、特に、不正行為の防止に係る日常業務に何ら支障をきたすことがない。
そして、島設備等に設けられた設置台からキャビネット全体を引き出し、さらに、キャビネットの背面を設置の正面に向かせるために、キャビネット全体を回動する行為は、従来のスロットマシンの前扉を開く行為よりも、非常に目立つので、本発明に係るスロットマシンの扉体を開ける行為を行うことが著しく困難となり、この点からも、遊技の設定を当選確率の高い設定へ不正に変更する不正行為を有効に防止するができ、不正な設定操作の防止がさらに効果的に図れるようになり、以上により、前記目的が達成される。
【００１２】
（請求項２の効果）
請求項２記載の発明によれば、上記した請求項１記載の発明の効果に加え、次のような効果を奏する。
すなわち、請求項２記載の発明によれば、キャビネットの前面に向かって前後となる方向に沿って摺動可能にキャビネットを支持する摺動支持機構を設けたので、島設備等に設けられた設置台からキャビネット全体を引き出すにあたり、キャビネット全体を大きな力で引っ張る必要がなくなり、キャビネット全体を容易に引き出すことができる。
また、平面視でキャビネットの背面側の一方の角部近傍に設定された垂直な回動軸を中心に、キャビネットを回動可能に軸支する回動支持機構を設けたので、キャビネットを回動させるにあたり、キャビネット全体を大きな力で回動させる必要がなくなり、キャビネット全体を容易に回動することができる。
【００１３】
従って、キャビネットの内部に設けられたスイッチ、例えば、設定操作スイッチ、電源スイッチ及びキースイッチの操作を行うにあたり、キャビネット全体が容易に引き出せるとともに、キャビネット全体を容易に回動させることができ、キャビネットの内部に設けられたスイッチを操作する際の労力を軽減でき、この点からも、当該スロットマシンが設置されている遊技場において行われる日常業務、特に、不正行為の防止に係る日常業務に何ら支障をきたすことがない。
（請求項３の効果）
請求項３記載の発明によれば、上記した請求項１又は２記載の発明の効果に加え、次のような効果を奏する。
【００１４】
すなわち、請求項３記載の発明によれば、キャビネットにおける左右の一方の側面に操作口を設け、この操作口を通じて、キャビネット内の操作スイッチ、電源スイッチ及びキースイッチの操作を行えるようにしたので、操作口が露出する位置まで、キャビネット全体を設置台から引き出せば、操作スイッチ、電源スイッチ及びキースイッチの操作を行えるようになり、キャビネット全体を回動させる手間が省け、この点から、キャビネットの内部に設けられたスイッチを操作する際の労力を軽減でき、従って、当該スロットマシンが設置されている遊技場において行われる日常業務、特に、不正行為の防止に係る日常業務に何ら支障をきたすことがない。
【図面の簡単な説明】
【００１５】
【図１】前記実施形態のスロットマシン及びメダル貸出機を示すブロック図である。
【図２】本発明の一実施形態に係るスロットマシンを示す正面図である。
【図３】前記実施形態に係るスロットマシンを背面側から示す斜視図である。
【図４】前記実施形態に係るスロットマシンの要部を示す拡大側面図である。
【図５】前記実施形態に係るスロットマシンの扉体開放状態を示す斜視図である。
【図６】前記実施形態に係る摺動支持機構の動作を説明するための側面図である。
【図７】前記実施形態に係る回動支持機構の動作を説明するための平面図である。
【発明を実施するための形態】
【００１６】
以下に、本発明を実施するための形態である一実施形態について、図面を参照しながら説明する。
（スロットマシン１の概要）
図１には、本発明の一実施形態に係るスロットマシン１及びメダル貸出機50が示されている。
このスロットマシン１は、遊技を開始する際に、従来のメダルの代わりに、メダル貸出機50から送信されてくる投入現金に対応したクレジット数等の情報を要求する、いわゆるメダルレスの遊技機となっている。
【００１７】
すなわち、スロットマシン１の隣には、図１に示すように、メダル貸出機50が設置されている。なお、本実施形態では、遊技者が投入した投入現金に対応したクレジット数等の情報を遊技機へ送信する手段としてメダル貸出機50を採用したが、これに限らず、ＩＣカードのカードリーダー機、あるいは、現金（紙幣や貨幣）が投入される現金受取機等をメダル貸出機50の代わりに設置してもよい。
メダル貸出機50には、図１の如く、投入された金額をクレジット数に変換する現金読取装置51と、図示しないＩＣカードの読み取り及び書き込みを行うＩＣカード読取書込装置52と、獲得したクレジット数を紙に印字する紙レシート発行装置53と、クレジットデータ信号の送受信をスロットマシン１へデジタル通信で伝送する通信装置54とが設けられている。
【００１８】
現金読取装置51は、メダル貸出機50に投入された現金（紙幣や貨幣）を読み取り、投入された金額の適否を判定した後、投入された金額を相当するクレジット数に変換し、変換したクレジット数を示す投入クレジットデータ信号を通信装置54経由でスロットマシン１へ伝送するものとなっている。
ＩＣカード読取書込装置52は、メダル貸出機50にＩＣカードが挿入されると、ＩＣカードに記録されたクレジット数を読み取るとともに、遊技者の操作に応じたクレジット数を示す投入クレジットデータ信号を通信装置54経由でスロットマシン１へ伝送するものとなっている。
【００１９】
一方、遊技で獲得したクレジット数を示す獲得クレジット数を示す獲得クレジットデータ信号がスロットマシン１から伝送されてきた場合には、伝送されてきたクレジット数を、その時点でＩＣカードに記録されているクレジット数に加算した後、元のクレジット数を加算後の新たな数値に置き換え、これにより、ＩＣカードに記録されているクレジット数を更新するようになっている。
紙レシート発行装置53は、ＩＣカード読取書込装置52にＩＣカードが挿入されていない場合、スロットマシン１側から送られてくる獲得クレジットデータ信号が示すクレジット数を紙に印字するものである。
【００２０】
このようなメダル貸出機50に対応して、スロットマシン１には、メダル貸出機50側の通信装置54とデジタル通信を行う通信装置16が設けられている。そして、スロットマシン１の主制御装置14は、メダル貸出機50から獲得クレジットデータを受信すると、獲得クレジットデータが示すクレジット数を、貯留しているクレジット数に加算するようになっている。これにより、スロットマシン１の内部に所定値以上のクレジット数が貯留されると、クレジット数が所定値よりも少なくなるまで、スロットマシン１で遊技が行えるようになっている。
また、スロットマシン１は、自機のクレジット数が残っている状態で、後述する精算スイッチ7Hが押圧操作されると、残っているクレジット数を示す貯留クレジットデータ信号を、通信装置16経由でメダル貸出機50へ送信し、この貯留クレジットデータ信号の送信が完了すると、残っているクレジット数を「０」にリセットするようになっている。
【００２１】
（スロットマシン１自体の説明）
以下、スロットマシン１自体について、説明する。
図２において、スロットマシン１は、外周面に複数種類の図柄が記されているとともに回転動作する三個の回転リールを含む遊技装置を有するものである。そして、スロットマシン１は、三個の回転リール11の各々に記された複数種類の図柄が所定の組み合わせとなるように、回転している回転リール11を停止させる遊技を行うものである。
このスロットマシン１には、図１に示すように、当該スロットマシン１の各種装置を収納するとともに、正面形状が長方形となったキャビネット２が設けられている。
【００２２】
キャビネット２は、一面が開口された六面体箱状に形成された部材である。
なお、キャビネット２に設けられた開口である後述の開口部2Aは、図２中後方に隠れて、図２には示されていない背面に形成されている。そして、この開口された開口部2Aは、後述する扉体３で塞がれるようになっている。
スロットマシン１の前面は、当該前面をほぼ二分する上部パネル部４及び下部パネル部５を備えたものとなっている。
これらの上部パネル部４及び下部パネル部５は、意匠的に優れた外観を確保するために、合成樹脂製の化粧板が表面に張り付けられたものとなっている。
【００２３】
また、上部パネル部４と下部パネル部５との間には、遊技に係る操作を行うための操作装置が設けられた操作卓７が遊技者側に突出するように形成されている。
（上部パネル部４）
上部パネル部４には、図２中、操作卓７の上方且つ幅方向の中央部分において長方形状に形成された表示窓4Aが設けられている。
ここで、キャビネット２の内部に設けられた三個の回転リール11の各々は、その外周面に複数種類の図柄に記されている。そして、各回転リール11の図柄は、キャビネット２の外部から表示窓4Aを通して目視可能となっている。
【００２４】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上端縁近傍の両側縁には、正面形状が鉤形に折れ曲がった一対の演出用照明装置4Cが設けられている。これらの演出用照明装置4Cの各々は、その上側の部分が演出用照明装置4Bの端部まで斜めに延びたものとなっているとともに、その下側の部分が上部パネル部４の側縁に沿って下方に延びたものとなっている。
【００２５】
さらに、上部パネル部４の両方の側縁における演出用照明装置4Cの下方には、当該演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、無色透明なレンズの内部に配置された高輝度のフルカラーＬＥＤ等の光源を備え、遊技の進行に応じて、その光源の点灯又は点滅により、遊技における視覚的な演出効果を高めるものである。
【００２６】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
（操作卓７）
操作卓７は、遊技における操作に必要な操作装置として、押しボタン式やレバー式等の各種のスイッチが配置されたものである。
【００２７】
すなわち、操作卓７における図２中右端の部分には、扉体３の施錠を解除するための鍵が挿入される鍵穴7Aが設けられている。この鍵穴7Aの左方であって、操作卓７の中央にあたる部分には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のクレジットを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるレバー式のスタートスイッチ7Fが設けられている。このスタートスイッチ7Fの左斜め上方には、１回の操作で貯留されているクレジットを１つ賭けることのできる、換言すると、クレジットを１つずつ賭ける際に操作されるベットスイッチ7Gが設けられている。
【００２８】
さらに、ベットスイッチ7Gの左斜め下方には、精算時に操作される前述の精算スイッチ7Hが設けられている。
以上において、スロットマシン１の操作装置として、複数の回転リール11に回転を開始させるために操作されるスタートスイッチ7Fと、回転リール11の回転を停止させるために操作されるストップスイッチ7Dとが含まれている。
また、キャビネット２は、開口部2Aとは反対側の面が遊技者に臨む前面とされている。そして、キャビネット２の前面には、回転リール11の図柄を外部から視認させる図柄表示窓としての表示窓4Aが設けられているとともに、ストップスイッチ7D等の操作装置が取り付けられている。
【００２９】
（下部パネル部５）
下部パネル部５には、スロットマシン１のモデルタイプを表す象徴するキャラクター等が描かれたパネル5Aが設けられている。
このパネル5Aの図２中左側及び右側の側縁には、上下方向に細長い帯状に形成された演出用照明装置5Bがそれぞれ設けられている。
この演出用照明装置5Bは、上端が上部パネル部４側の演出用照明装置4Dの下端に接続されたものとなっている。
このような演出用照明装置5Bは、内部に設けられた図示しないフルカラーＬＥＤ等の光源と、この図示しない光源を覆う無色透明のレンズとを備えたものとなっている。
【００３０】
パネル5Aの下方には、遊技に係る効果音を発生するスピーカを備えた音声出力部6Cと、喫煙する遊技者の煙草の灰や吸殻を受けるための灰皿装置6Dとが設けられている。
ここで、スロットマシン１は、いわゆるメダルレスの遊技機であるため、一般的なスロットマシンに設けられているメダル用の開口、具体的には、メダルを投入するためのメダル投入口、及び、遊技者に払い出すメダルを排出するためのメダル払出口が省略されたものとなっている。
また、操作卓７に設けられている鍵穴7Aは、いわゆるシリンダ錠に設けられている鍵穴であり、この鍵穴7Aの奥は塞がれており、キャビネット２の内部に達していない。
【００３１】
さらに、操作卓７のストップスイッチ7D、マックスベットスイッチ7E、スタートスイッチ7F、ベットスイッチ7G及び精算スイッチ7Hは、操作卓７に形成された取付穴を塞ぐようにして当該取付穴に嵌め込まれている。そして、操作卓７の内側面には、スイッチ7D〜7Hのそれぞれが取り付けられている部分を裏側から覆う図示しない防犯用カバーが設けられている。この防犯用カバーには、スイッチ7D〜7Hの各信号の伝送用電線を挿通する電線挿通孔が設けられているが、これらの電線挿通孔の各々は、内部を挿通する電線で塞がれるようになっている。
以上により、スロットマシン１の前面部分には、当該前面部分を貫通して内部に達する開口や穴がまったくなく、細長い針金状の器具をキャビネット２の内部に進入させることができないようになっている。
【００３２】
（キャビネット２）
以下に、キャビネット２について、さらに詳しく説明する。
キャビネット２は、前述したように、後方を向いた開口である開口部2Aと、この開口部2Aを塞ぐ扉体３とを有するものとなっている。
さらに具体的に説明すると、キャビネット２の開口部2Aは、図３に示すように、キャビネット２の背面全体が開口されたものであり、開口部2Aに応じたサイズに形成された平板状の扉体３で塞がれるようになっている。
このキャビネット２における開口部2Aの左右両側の側面には、搬送の際に手を掛ける手掛かりとなるハンドル部2Bが設けられている。
【００３３】
また、キャビネット２には、ハンドル部2Bが設けられている側面のうちの一方、本実施形態では、図３中左側の側面に開口されている操作口2Cと、この操作口2Cを塞ぐ操作口ドア2Dとが設けられている。
操作口2Cは、キャビネット２の内部に設けられている後述する電源スイッチ31等を操作するためのものである。
また、操作口ドア2Dは、操作口2Cを閉鎖する閉鎖位置及び操作口2Cを開放する開放位置の二位置にわたって回動可能にキャビネット２に軸支されている。
なお、操作口ドア2Dには、閉鎖位置に固定する図示しない施錠装置が設けられている。この施錠装置により、操作口ドア2Dは、閉鎖位置に固定された場合、所定の鍵で解錠しなければ、開けることができないようになっている。
【００３４】
扉体３は、キャビネット２の開口部2Aを閉鎖する閉鎖位置及び開口部2Aを開放する開放位置の二位置にわたって回動可能にキャビネット２に軸支されたものとなっている。扉体３をキャビネット２に軸支する軸支構造については、後で、さらに詳しく説明する。
この扉体３には、当該扉体３を貫通する略長方形状の開口である通気口3Aと、図示しないケーブルハーネスが挿通されるハーネス挿通孔3Bと、扉体３を開放する際の手掛かりとなるハンドル穴3Cとが設けられている。
このうち、通気口3Aは、キャビネット２内部の熱気、特に、後述する電源装置13の内部熱気を外部に排出し、外部の冷気をキャビネット２の内部や電源装置13の内部に取り入れるための開口である。
【００３５】
また、ケーブルハーネスは、特に図示しないが、キャビネット２の外部から電力を導くための電源線と、外部との信号の送受信を行うための信号線等、複数の電線が束ねられたものである。
なお、ハーネス挿通孔3Bには、当該スロットマシン１を搬送する際等に、ハーネス挿通孔3Bから異物がキャビネット２の内部に入らないようするために、当該ハーネス挿通孔3Bを塞ぐ蓋3Eが着脱可能に設けられている。
なお、ハーネス挿通孔3Bの設置位置は、扉体３の中央近傍に限らず、扉体３の上縁近傍等の他の位置でもよく、さらに、扉体３に限らず、キャビネット２の側面でもよい。
【００３６】
キャビネット２の側面に開口された操作口2Cの内側には、図４に示すように、電源スイッチ31等のスイッチが取り付けられた操作パネル30が設けられている。この操作パネル30は、キャビネット２の内部に設けられている。
操作パネル30には、電源の入り切り操作を行うための前述した電源スイッチ31と、遊技の設定操作を行うための設定操作スイッチ32と、遊技の設定操作の可否を選択するためのキースイッチ33とが設けられている。
このうち、キースイッチ33は、所定の鍵が差し込まれる鍵穴33A が形成された図示しないシリンダ部を有するものである。
【００３７】
そして、設定操作スイッチ32による遊技の設定操作は、キースイッチ33の鍵穴33A に差し込まれた所定の鍵の操作によって、シリンダ部が所定の回転角度位置まで回転されると有効となり、所定の鍵の操作によって、シリンダ部が元の回転角度位置に戻されると無効となるように形成されている。
ここで、操作パネル30がキャビネット２の内部に設けられているので、電源スイッチ31、設定操作スイッチ32及びキースイッチ33もキャビネット２の内部に設けられている
そして、電源スイッチ31、設定操作スイッチ32及びキースイッチ33は、操作口2Cを通じて操作可能な位置に配置され、操作口ドア2Dが開放位置に配置された状態において、操作口2Cを通じて操作されるようになっている。
【００３８】
この際、キャビネット２の内部には、図５に示すように、回転リール11を含んで構成されたリールユニット12と、スロットマシン１に設けられたリールユニット12等の電力を必要とする装置に電力を供給する電源装置13と、スロットマシン１の動作等の遊技に係る動作を制御する主制御装置14と、液晶表示装置4Eの動作等の演出に係る動作を制御する副制御装置15とが設けられている。
そして、スロットマシン１は、いわゆるメダルレスの遊技機であるため、一般的なスロットマシンに設けられているメダルセレクタ及びホッパユニットは、キャビネット２の内部から省略されている。
【００３９】
ところで、扉体３をキャビネット２に軸支する軸支構造は、図５の如く、クランク状に折れ曲がったリンク部材3Fを含んで構成されている。
このリンク部材3Fの両端は、それぞれ図示しないヒンジを介して、扉体３の内面と、キャビネット２の内側面とに結合されている。
扉体３は、リンク部材3Fの両端に設けられた二つのヒンジを介して、キャビネット２に結合されているので、開口部2Aを閉鎖する閉鎖位置から離れると、リンク部材3Fにおけるキャビネット２側の端部に設けられたヒンジを中心として回動するだけでなく反対側のヒンジを中心にして回動できるので、キャビネット２に対して様々な姿勢をとることができるようになっている。
【００４０】
以上のようなスロットマシン１には、さらに、キャビネット２の前面に向かって前後となる方向に沿って摺動可能に、キャビネット２を支持する摺動支持機構と、平面視で前記キャビネット２の背面側の一方の角部近傍に設定された垂直な回動軸を中心に、キャビネット２を回動可能に軸支する回動支持機構とが設けられている。
すなわち、スロットマシン１が設置されている遊技場には、複数のスロットマシン１がまとめて設置される島設備が設けられ、この島設備には、スロットマシン１を１台ずつ据え付けるための設置台40が設けられている。
設置台40は、図６（Ａ）に示すように、スロットマシン１が設置される台座部41と、スロットマシン１の上方を覆う天井部42とを備えたものとなっている。
【００４１】
一方、スロットマシン１には、台座部41の上面の上を、キャビネット２の前面に向かって前後となる方向に沿って摺動する台車20が設けられている。そして、スロットマシン１は、台車20の上に載置され、台車20とともに摺動するようになっている。
台車20は、車輪の転がり作用で台座部41の上面の上を摺動するものである。
具体的に説明すると、台車20の下部に設けられている底面部21には、台座部41の上面を転がる車輪22と、これらの車輪22の各々を回転自在に軸支する図示しない車輪支持部とが設けられている。
また、台車20の上部に設けられている天面部23には、天井部42の下面に当接しながら転がる車輪24と、これらの車輪24の各々を回転自在に軸支する図示しない車輪支持部とが設けられている。
【００４２】
ここにおいて、台車20の車輪22, 24及びその車輪保持部によって、キャビネット２を摺動可能に支持する摺動支持機構が形成されている。
さらに、台車20には、図７（Ａ）に示すように、平面視でキャビネットの背面側の一方、具体的には、図７（Ａ）中、左方の角部近傍に設定された垂直な回動軸である支持軸25が設けられている。そして、台車20は、支持軸25でキャビネット２を回動可能に軸支するようになっている。換言すると、キャビネット２は、支持軸25を中心に回動可能となっている。
ここにおいて、台車20の支持軸25によって、キャビネット２を回動可能に支持する回動支持機構が形成されている。
【００４３】
そして、台車43は、キャビネット２を摺動可能に支持する摺動支持機構と、キャビネット２を回動可能に軸支する回動支持機構とを備えたものとなっている。
次に、操作パネル30に設けられているスイッチ31〜33を操作する際の手順について簡単に説明する。
スロットマシン１は、通常、図６（Ａ）の如く、島設備等に設けられた設置台40の内部に、キャビネット２のほぼ全体が隠れてしまう通常位置αに配置されている。
この通常位置αに配置された状態において、スロットマシン１を手前に引き出し、図６（Ｂ）に示すように、操作口2Cを塞いでいる操作口ドア2Dが露出する操作位置βまでスロットマシン１を引き出したら、この操作位置βにスロットマシン１を停止させる。
【００４４】
この際、キャビネット２は、台車20の上に載置されているので、引き出すにあたり、大きな力で引っ張る必要がなくなり、通常位置αから操作位置βまで、キャビネット２を容易に引き出すことができるようになっている。
操作位置βにスロットマシン１が配置されたら、操作口ドア2Dを開き、操作口2Cを通じて、電源スイッチ31、設定操作スイッチ32及びキースイッチ33を必要に応じて操作し、操作が完了したら、操作口ドア2Dを閉じ、前述とは逆の手順で、スロットマシン１を元の通常位置αに戻し、スロットマシン１が通常位置αに戻ったら、これにより、スイッチ31〜33の操作に必要な作業が完了する。
【００４５】
続いて、スロットマシン１の扉体３を開放する際の手順について簡単に説明する。
スロットマシン１は、通常、図７（Ａ）に示すように、島設備等に設けられた設置台40の内部に、キャビネット２のほぼ全体が隠れてしまう通常位置αに配置されている。
この通常位置αに配置された状態において、スロットマシン１を手前に引き出し、図７（Ｂ）に示すように、操作位置βにスロットマシン１が到達したら、この操作位置βにスロットマシン１を停止させる。
操作位置βにスロットマシン１を停止させたら、キャビネット２の向かって左側のハンドル部2Bを手前に引き寄せて、図７（Ｃ）に示すように、スロットマシン１を平面視で時計方向に回動させ、元の位置から６０度程度回動した位置で、スロットマシン１の回動を停止する。この状態で、スロットマシン１の背面側の扉体３を開放すれば、スロットマシン１の扉体３の開放作業が完了する。
【００４６】
なお、スロットマシン１の扉体３の閉鎖し、前述とは逆の手順でスロットマシン１を動かせば、スロットマシン１を容易に元の通常位置αに戻すことができる。
前述のような本実施形態によれば、次のような効果が得られる。
すなわち、リールユニット12等の遊技装置を内部に収納するために、一面が開口された六面体の箱状に形成されたキャビネット２における開口部2Aとは反対側の面を、遊技者に臨む前面とし、且つ、このキャビネット２における開口部2Aとは反対側の面に、回転リール11の図柄を外部から視認させる表示窓4Aを設けるとともに、この開口部2Aとは反対側の面に、スタートスイッチ7Fやストップスイッチ7D等の操作装置を取り付けたので、扉体３とキャビネット２と間に形成される隙間は、キャビネット２の背面側に位置し、この隙間を利用して、キャビネット２の内部に細長い針金状の器具を進入させることが著しく困難となり、遊技の設定を当選確率の高い設定へ不正に変更する不正行為を有効に防止することができ、不正な設定操作の防止をさらに効果的に図ることができる。
【００４７】
ここで、島設備等に設けられた設置台40からキャビネット２全体を引き出し、さらに、キャビネット２の背面を設置の正面に向かせるために、キャビネット２全体を回動すれば、扉体３を開いて、キャビネット２の内部に設けられた電源スイッチ31、設定操作スイッチ32及びキースイッチ33の操作が容易に行え、当該スロットマシン１が設置されている遊技場において行われる日常業務、特に、不正行為の防止に係る日常業務に何ら支障をきたすことがない。
そして、島設備等に設けられた設置台40からキャビネット２全体を引き出し、さらに、キャビネット２の背面を設置の正面に向かせるために、キャビネット２全体を回動する行為は、従来のスロットマシンの前扉を開く行為よりも、非常に目立つので、スロットマシン２の扉体３を開ける行為を行うことが著しく困難となり、この点からも、遊技の設定を当選確率の高い設定へ不正に変更する不正行為を有効に防止するができ、不正な設定操作の防止をさらに一層効果的に図ることができる。
【００４８】
また、キャビネット２の前面に向かって前後となる方向に沿って摺動可能にキャビネット２を支持する摺動支持機構として台車20を設けたので、島設備等に設けられた設置台40からキャビネット２全体を引き出すにあたり、キャビネット２全体を大きな力で引っ張る必要がなくなり、キャビネット２全体を容易に引き出すことができる。
また、平面視でキャビネット２の背面側の一方の角部近傍に設定された垂直な支持軸25を台車20に設け、この支持軸25でキャビネット２を回動可能に軸支するようにしたので、台車20が、支持軸25を中心に、キャビネット２を回動可能に軸支する回動支持機構となり、キャビネット２を回動させるにあたり、キャビネット２全体を大きな力で回動させる必要がなくなり、キャビネット２全体を容易に回動することができる。
【００４９】
従って、キャビネット２の内部に設けられた電源スイッチ31、設定操作スイッチ32及びキースイッチ33の操作を行うにあたり、キャビネット２全体が容易に引き出せるとともに、キャビネット２全体を容易に回動させることができ、キャビネット２側面の操作口2C内に設けられたスイッチ31〜33を操作する際の労力を軽減でき、この点からも、当該スロットマシンが設置されている遊技場において行われる日常業務、特に、不正行為の防止に係る日常業務に何ら支障をきたすことがない。
ここで、キャビネット２の一方の側面に操作口2Cを設け、この操作口2Cを通じて、キャビネット２内に設けた電源スイッチ31、設定操作スイッチ32及びキースイッチ33の操作を行えるようにしたので、操作口2Cが露出する操作位置βまで、キャビネット２全体を設置台40から引き出せば、電源スイッチ31、設定操作スイッチ32及びキースイッチ33の操作を行えるようになり、キャビネット２全体を回動させる手間が省け、この点から、キャビネット２の内部に設けられたスイッチ31〜33を操作する際の労力を軽減でき、従って、当該スロットマシン１が設置されている遊技場において行われる日常業務、特に、不正行為の防止に係る日常業務に何ら支障をきたすことがない。
【００５０】
しかも、従来、キャビネット２の前面側に設けられていた開口部2Aを背面側に設け、これにより、従来、前面側に位置していたキャビネット２と扉体３との隙間を背面側に移し、さらに、スロットマシン１を、いわゆるメダルレス機とし、メダルを投入するためのメダル投入口、及び、遊技者に払い出すメダルを排出するためのメダル払出口をなくし、且つ、キャビネット２の前面にスイッチ7D〜7Hを取り付けるための取付穴をスイッチ7D〜7Hで塞ぎ、また、スイッチ7D〜7Hの信号の伝送用電線を挿通するための電線挿通孔を、当該伝送用電線で塞ぐようにしたので、スロットマシン１の前面部分には、当該前面部分を貫通して内部に達する開口や穴がまったくなくなり、これにより、細長い針金状の器具をキャビネット２の内部に進入させることができず、従って、細長い針金状の器具を利用した不正行為を効果的に防止することができる。
【００５１】
なお、本発明は、前記実施形態に限定されるものではなく、本発明の目的を達成できる範囲における変形及び改良などをも含むものである。
すなわち、前記実施形態では、設置台40に設けられている台座部41の上面の上を摺動する台車20に、キャビネット２を回動可能に支持する支持軸25を設け、この台車20によって、摺動支持機構及び回動支持機構を実現したが、摺動支持機構及び回動支持機構は、これに限らず、例えば、アングル材等の軸組材を直方体状に組んだ摺動フレームを作製しておくとともに、設置台40に設けられた天井部42の下面に吊り下げレールを設け、この吊り下げレールに、摺動フレームを摺動可能に吊り下げ支持し、さらに、摺動フレームの前面側の左右一方の軸組材に、蝶番を介して、キャビネット２を固定することで、摺動支持機構及び回動支持機構を実現してもよく、摺動支持機構及び回動支持機構の具体的な構造は、実施にあたり適宜選択することができる。
【００５２】
また、前記実施形態では、操作口2Cをキャビネット２の側面に設けたが、操作口2Cを形成する部位としては、キャビネット２の側面に限らず、キャビネット２の底面や天面でもよいが、前記実施形態のように、操作口2Cをキャビネット２の側面に設ければ、スイッチ7D〜7Hの高さ位置を、操作するのに最適な高さ位置とすることができる。
なお、扉体３を開けてキャビネット２内のスイッチ7D〜7Hを操作するように、スイッチ7D〜7Hを配置する場合には、操作口2Cを省略することができる。
【符号の説明】
【００５３】
1        スロットマシン
2        キャビネット
2C       操作口
3        扉体
4A       図柄表示窓としての表示窓
7D       ストップスイッチ
7F       スタートスイッチ
11        回転リール
20        摺動支持機構及び回動支持機構を備えた台車
31        電源スイッチ
32        設定操作スイッチ
33        キースイッチ
【図１】
2013153852.tif 000003
【図２】
2013153852.tif 000004
【図３】
2013153852.tif 000005
【図４】
2013153852.tif 000006
【図５】
2013153852.tif 000007
【図６】
2013153852.tif 000008
【図７】
2013153852.tif 000009